【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
ネットワークにおいて自動構成のために第１のネットワークデバイスを準備するための方法であって、前記第１のネットワークデバイスは、アクセスポイントの役割からステーションの役割に、およびその反対に、切り換えるように適合され、前記方法は、
−  ネットワークにより前記第１のネットワークデバイスに接続された第２のネットワークデバイスのプロファイルを受信するステップあって、前記第２のネットワークデバイスの前記プロファイルは、前記第２のネットワークデバイスのアクセスポイント資格情報を含む、受信するステップと、
−  前記受信されたプロファイルを、前記第１のネットワークデバイスのメモリに格納された既存のプロファイルと比較するステップと、
−  前記プロファイルが前記メモリにまだ格納されていない場合、前記第２のネットワークデバイスの前記プロファイルを前記メモリに格納するステップと、
を含む、前記方法。
【請求項２】
前記第２のネットワークデバイスにそのプロファイルを送信するように要求するステップをさらに含む、請求項１に記載の方法。
【請求項３】
前記メモリに格納された前記プロファイルを前記ネットワークにブロードキャストするステップをさらに含む、請求項１または２に記載の方法。
【請求項４】
前記メモリに格納されたプロファイルは、その後のプロファイルの間に所定の遅延で前記ネットワークにブロードキャストされる、請求項３に記載の方法。
【請求項５】
前記メモリに格納された前記プロファイルを前記ネットワークにブロードキャストするステップは、所定の時間後に繰り返される、請求項３または４に記載の方法。
【請求項６】
ネットワークにおいて第１のネットワークデバイスを自動的に構成するための方法であって、前記第１のネットワークデバイスは、アクセスポイントの役割からステーションの役割に、およびその反対に、切り換えるように適合され、前記方法は、
−  前記第１のネットワークデバイスの役割変更を決定するステップと、
−  第２のネットワークデバイスのプロファイルをメモリから検索するステップと、
−  前記検索されたプロファイルを使用して、前記第１のネットワークデバイスを前記第２のネットワークデバイスに接続するステップと、
を含む、前記方法。
【請求項７】
前記第２のネットワークデバイスの前記プロファイルは、前記第２のネットワークデバイスのアクセスポイント資格情報を含む、請求項６に記載の方法。
【請求項８】
前記第２のネットワークデバイスの前記プロファイルは、請求項１乃至７のいずれか１項に記載の方法を使用して、前記メモリに格納されている、請求項６または７に記載の方法。
【請求項９】
アクセスポイントの役割からステーションの役割に、およびその反対に、切り換えるように適合されたネットワークデバイスであって、
−  ネットワークにより前記ネットワークデバイスに接続された第２のネットワークデバイスのプロファイルを受信するための入力であって、前記第２のネットワークデバイスの前記プロファイルは、前記第２のネットワークデバイスのアクセスポイント資格情報を含む、前記入力と、
−  前記プロファイルがメモリにまだ格納されていない場合、前記第２のネットワークデバイスの前記プロファイルを格納するためのメモリと、
−  前記受信されたプロファイルを、前記ネットワークデバイスの前記メモリに格納された既存のプロファイルと比較するためのコンパレータと、
を含む、前記ネットワークデバイス。
【請求項１０】
アクセスポイントの役割からステーションの役割に、およびその反対に、切り換えるように適合されたネットワークデバイスであって、
−  前記ネットワークデバイスの役割変更を決定するための役割検出器と、
−  メモリから第２のネットワークデバイスのプロファイルを検索するためのメモリアクセスユニットであって、前記第２のネットワークデバイスの前記プロファイルは、前記第２のネットワークデバイスのアクセスポイント資格情報を含む、前記メモリアクセスユニットと、
−  前記検索されたプロファイルを使用して、前記ネットワークデバイスを前記第２のネットワークデバイスに接続するためのネットワークコネクタと、
を含む、前記ネットワークデバイス。
【手続補正２】
【補正対象書類名】明細書
【補正対象項目名】００３５
【補正方法】変更
【補正の内容】
【００３５】
図８は、本発明によるネットワークデバイス４０を概略的に示す。ネットワークデバイス４０は、他のネットワークデバイスのプロファイルを受信するための入力４１と、これらのプロファイルを格納するためのメモリ４３とを含む。コンパレータ４２は、メモリにおける二重エントリを避けるために、受信されたプロファイルを、メモリ４３に格納された既存のプロファイルと比較する。デバイス４０はさらに、ネットワークデバイス４０の役割変更、例えば、「アクセスポイント」の役割から「ステーション」の役割への変更を決定するための役割検出器４４を含む。役割変更が決定される場合、メモリアクセスユニット４５がメモリ４３から第２のネットワークデバイスＡＰ（２）のプロファイルを検索する。検索されたプロファイルを使用して、ネットワークコネクタ４６が、ネットワークデバイスＡＰを第２のネットワークデバイスＡＰ（２）に接続する。
ここでいくつかの付記を記載する。
（付記１）
ネットワークにおいて自動構成のために第１のネットワークデバイス（ＡＰ、ＳＴＡ１、ＳＴＡ２）を準備するための方法であって、前記第１のネットワークデバイス（ＡＰ、ＳＴＡ１、ＳＴＡ２）は、アクセスポイントの役割からステーションの役割に、およびその反対に、切り換えるように適合され、前記方法は、
−  ネットワークにより前記第１のネットワークデバイス（ＡＰ、ＳＴＡ１、ＳＴＡ２）に接続された第２のネットワークデバイス（ＡＰ、ＳＴＡ１、ＳＴＡ２）のプロファイルを受信する（１３、２２）ステップあって、前記第２のネットワークデバイス（ＡＰ、ＳＴＡ１、ＳＴＡ２）の前記プロファイルは、前記第２のネットワークデバイス（ＡＰ、ＳＴＡ１、ＳＴＡ２）のアクセスポイント資格情報を含む、受信するステップと、
−  前記受信されたプロファイルを、前記第１のネットワークデバイス（ＡＰ、ＳＴＡ１、ＳＴＡ２）のメモリ（４３）に格納された既存のプロファイルと比較する（２３）ステップと、
−  前記プロファイルが前記メモリにまだ格納されていない場合、前記第２のネットワークデバイス（ＡＰ、ＳＴＡ１、ＳＴＡ２）の前記プロファイルを前記メモリ（４３）に格納する（１４、２４）ステップと、
を含む、前記方法。
（付記２）
前記第２のネットワークデバイス（ＳＴＡ１、ＳＴＡ２）にそのプロファイルを送信するように要求する（１２）ステップをさらに含む、付記１に記載の方法。
（付記３）
前記メモリ（４３）に格納された前記プロファイルを前記ネットワークにブロードキャストする（１５）ステップをさらに含む、付記１または２に記載の方法。
（付記４）
前記メモリ（４３）に格納されたプロファイルは、その後のプロファイルの間に所定の遅延（ＩｎｔｅｒＰｒｏｆｉｌｅＰｅｒｉｏｄ）で前記ネットワークにブロードキャストされる（１５）、付記３に記載の方法。
（付記５）
前記メモリ（４３）に格納された前記プロファイルを前記ネットワークにブロードキャストする（１５）ステップは、所定の時間（ＰｒｏｆｉｌｅＢｒｏａｄｃａｓｔＰｅｒｉｏｄ）後に繰り返される、付記３または４に記載の方法。
（付記６）
ネットワークにおいて第１のネットワークデバイス（ＡＰ）を自動的に構成するための方法であって、前記第１のネットワークデバイス（ＡＰ）は、アクセスポイントの役割からステーションの役割に、およびその反対に、切り換えるように適合され、前記方法は、
−  前記第１のネットワークデバイス（ＡＰ）の役割変更を決定する（３０）ステップと、
−  第２のネットワークデバイス（ＡＰ（２））のプロファイルをメモリ（４３）から検索する（３１）ステップと、
−  前記検索されたプロファイルを使用して、前記第１のネットワークデバイス（ＡＰ）を前記第２のネットワークデバイス（ＡＰ（２））に接続する（３２）ステップと、
を含む、前記方法。
（付記７）
前記第２のネットワークデバイス（ＡＰ（２））の前記プロファイルは、前記第２のネットワークデバイス（ＡＰ（２））のアクセスポイント資格情報を含む、付記６に記載の方法。
（付記８）
前記第２のネットワークデバイス（ＡＰ（２））の前記プロファイルは、請求項１乃至７のいずれか１項に記載の方法を使用して、前記メモリ（４３）に格納されている、付記６または７に記載の方法。
（付記９）
アクセスポイントの役割からステーションの役割に、およびその反対に、切り換えるように適合されたネットワークデバイス（ＡＰ、ＳＴＡ１、ＳＴＡ２）であって、
−  ネットワークにより前記ネットワークデバイス（ＡＰ、ＳＴＡ１、ＳＴＡ２）に接続された第２のネットワークデバイス（ＡＰ、ＳＴＡ１、ＳＴＡ２）のプロファイルを受信する（１３、２２）ための入力（４１）であって、前記第２のネットワークデバイス（ＡＰ、ＳＴＡ１、ＳＴＡ２）の前記プロファイルは、前記第２のネットワークデバイス（ＡＰ、ＳＴＡ１、ＳＴＡ２）のアクセスポイント資格情報を含む、前記入力と、
−  前記プロファイルがメモリ（４３）にまだ格納されていない場合、前記第２のネットワークデバイス（ＡＰ、ＳＴＡ１、ＳＴＡ２）の前記プロファイルを格納する（１４、２４）ためのメモリ（４３）と、
−  前記受信されたプロファイルを、前記ネットワークデバイス（ＡＰ、ＳＴＡ１、ＳＴＡ２）の前記メモリ（４３）に格納された既存のプロファイルと比較する（２３）ためのコンパレータ（４２）と、
を含む、前記ネットワークデバイス（ＡＰ、ＳＴＡ１、ＳＴＡ２）。
（付記１０）
アクセスポイントの役割からステーションの役割に、およびその反対に、切り換えるように適合されたネットワークデバイス（ＡＰ）であって、
−  前記ネットワークデバイス（ＡＰ）の役割変更を決定する（３０）ための役割検出器（４４）と、
−  メモリ（４３）から第２のネットワークデバイス（ＡＰ（２））のプロファイルを検索する（３１）ためのメモリアクセスユニット（４５）であって、前記第２のネットワークデバイス（ＡＰ（２））の前記プロファイルは、前記第２のネットワークデバイス（ＡＰ（２））のアクセスポイント資格情報を含む、前記メモリアクセスユニット（４５）と、
−  前記検索されたプロファイルを使用して、前記ネットワークデバイス（ＡＰ）を前記第２のネットワークデバイス（ＡＰ（２））に接続する（３２）ためのネットワークコネクタ（４６）と、
を含む、前記ネットワークデバイス（ＡＰ）。